(57)【要約】      （修正有）【課題】移動側部材を最終所定位置まで完全に移動させなくても、所定位置から固定側部材に引き込まれる移動側部材の引き込み装置に関するものであり、簡単な構造で安価に製作出来、スライドレールの構造に関係なく、移動側部材と固定側部材間に引き込み機能を設ける事が可能な移動側部材の引き込み装置を提供する。【解決手段】移動側部材に取付けられた弾性圧接部材５と、弾性圧接部材に対応して固定側部材側に取付けられた回動引き込み部材７からなり、弾性圧接部材は、移動側部材の収納途中で回動引き込み部材に弾性的に圧接し、回動引き込み部材は、収納途中で回動して、移動側部材に引き込み力を付与し、移動側部材が収納状態となると、通常姿勢に復帰し、移動側部材が収納状態から引出し方向に移動するときは、回動引き込み部材は通常姿勢となって弾性圧接部材と圧接しない。【選択図】図２
2010057569.tif 000002
【特許請求の範囲】
【請求項１】
固定側部材あるいは移動側部材のいずれか一方側に取付けられた弾性圧接部材と、弾性圧接部材に対応して他方側に取付けられた回動引き込み部材からなり、弾性圧接部材は、移動側部材の収納途中で回動引き込み部材に弾性的に圧接し、弾性圧接部材と圧接しながら移動側部材が収納される途中で、回動引き込み部材は回動して、移動側部材に引き込み力を付与し、移動側部材が収納状態となると、回動引き込み部材は通常姿勢に復帰し、移動側部材が収納状態から引き出し方向に移動するときは、弾性圧接部材は通常姿勢となった回動引き込み部材に圧接しないことを特徴とする移動側部材の引き込み装置。
【請求項２】
回動引き込み部材は、移動側部材の収納時、通常姿勢で弾性圧接部材と圧接する押し込み案内路と、回動姿勢で弾性圧接部材と圧接する移動側部材を引き込む引き込み案内路を連続して有していることを特徴とする請求項１に記載の移動側部材の引き込み装置。
【請求項３】
弾性圧接部材は、回動引き込み部材の押し込み案内路と引き込み案内路に前端部分が圧接する方向に回動力が付勢された弾性圧接腕を有し、引き込み案内路は、回動引き込み部材が回動したとき、弾性圧接腕の先端の圧接力が移動側部材を最終収納位置となす方向への引き込み力に変化させる方向に傾斜し、引き込み案内路と押し込み案内路は屈折して配設されていることを特徴とする請求項２に記載の移動側部材の引き込み装置。
【請求項４】
スライドレールの移動側メンバーの収納側端部に取付けられた弾性圧接部材と、スライドレールの固定側メンバーの収納側端部に取付けられた回動引き込み部材からなり、回動引き込み部材は、移動側部材の収納時、通常姿勢で弾性圧接部材と圧接する押し込み案内路と、回動姿勢で弾性圧接部材と圧接し、移動側部材を引き込む引き込み案内路を有し、弾性圧接部材は、回動引き込み部材の押し込み案内路と引き込み案内路に前端部分が圧接する方向に回動力が付勢された弾性圧接腕を有し、引き込み案内路は、回動引き込み部材が回動したとき、弾性圧接腕の先端の圧接力が移動側部材を最終収納位置となす方向への引き込み力に変化させる方向に傾斜し、移動側部材が収納状態となると、回動引き込み部材は通常姿勢に復帰し、移動側部材が収納状態から引き出し方向に移動するときは、弾性圧接部材は通常姿勢となった回動引き込み部材に圧接しないことを特徴とする移動側部材の引き込み装置。
【発明の詳細な説明】
【技術分野】
【０００１】
本発明は、家具等の引出し部、陳列棚等のスライド棚等の移動側部材を、引出し状態（スライド状態）から収納位置（最終所定位置）まで完全に移動させなくても、一定位置まで移動されるとあとは自動的に家具本体等の固定側部材に引き込まれる移動側部材の引き込み装置に関するものである。
【背景技術】
【０００２】
家具本体等の固定側部材に引出し部等の移動側部材を収納する時、移動側部材を勢い良く収納すると、収納時の跳ね返りによって、移動側部材が完全に収納されなかったり、移動側部材を最初から完全に収納されていなかったりする場合があった。
この問題を解決するため、固定側部材あるいは移動側部材のいずれか一方側に取付けられた引き込み力付加部材と、引き込み力付加部材に対応して他方側に取付けられた引き込み力受動部材からなり、引き込み力付加部材は、移動側部材が固定側部材に対して最終所定位置に近づいたとき、引き込み力受動部材に一部が弾性的に圧接する圧接機構を有し、引き込み力受動部材は、圧接機構の圧接力を移動側部材を固定側部材に対し最終所定位置となす方向への引き込み力に変化させる案内傾斜面を有するものが提供されている。（例えば特許文献１参照。）
【０００３】
この場合、収納時の跳ね返り、あるいは運搬時の引出し（移動側部材）の飛び出しはないものの、収納状態の移動側部材を引き出す場合、引き込み力に抗して移動側部材を引き出さねばならず、収納時の摺動力以上の引出し力を必要とするので、移動側部材を収納する時も、引き出す時も同じ摺動力で行う事ができず、好ましくなかった。
特に、停止した状態の移動側部材を引出す初期摺動力が重くなるので、使用者に違和感を起こさせる原因となっていた。
一方、近年、キャビネット等の引出し、あるいは棚板等には、固定側本体に係合して、引出し、棚板を収納位置に維持し、引出し動作に連動して棚板、引出しの係合状態を解除するラッチ装置が、地震対策として引き手に設けられているのが一般的であり、移動側部材の引き込み装置に収納時の跳ね返り、あるいは運搬時の引出し（移動側部材）の飛び出しを防止する機能を設ける必要がなくなっている。
【０００４】
【特許文献１】特開２００７−１９５７５４号公報
【発明の開示】
【発明が解決しようとする課題】
【０００５】
本発明は、簡単な構造で安価に製作出来、スライドレールの構造に関係なく、移動側部材と固定側部材間に引き込み機能を設ける事が出来、しかも、好ましい収納感覚、引き出し感覚を簡単に得ることができ、さらに、使用場所に応じた引き込み感覚、引き込み力の選択も容易に行う事が可能な移動側部材の引き込み装置を提供することを課題とする。
【課題を解決するための手段】
【０００６】
そこで、上記課題を解決する為、本発明が第１の手段として構成したところは、固定側部材あるいは移動側部材のいずれか一方側に取付けられた弾性圧接部材と、弾性圧接部材に対応して他方側に取付けられた回動引き込み部材からなり、弾性圧接部材は、移動側部材の収納途中で回動引き込み部材に弾性的に圧接し、弾性圧接部材と圧接しながら移動側部材が収納される途中で、回動引き込み部材は回動して、移動側部材に引き込み力を付与し、移動側部材が収納状態となると、回動引き込み部材は通常姿勢に復帰し、移動側部材が収納状態から引き出し方向に移動するときは、弾性圧接部材は通常姿勢となった回動引き込み部材に圧接しないものである。
【０００７】
次に、本発明が第２の手段として構成したところは、第１の手段としての構成に加え、回動引き込み部材は、移動側部材の収納時、通常姿勢で弾性圧接部材と圧接する押し込み案内路と、回動姿勢で弾性圧接部材と圧接し、移動側部材を引き込む引き込み案内路を連続して有しているものである。
【０００８】
次に、本発明が第３の手段として構成したところは、第２の手段としての構成に加え、弾性圧接部材は、回動引き込み部材の押し込み案内路と引き込み案内路に前端部分が圧接する方向に回動力が付勢された弾性圧接腕を有し、引き込み案内路は、回動引き込み部材が回動したとき、弾性圧接腕の先端の圧接力が移動側部材を最終収納位置となす方向への引き込み力に変化させる方向に傾斜し、引き込み案内路と押し込み案内路は屈折して配設されているものである。
【０００９】
次に、本発明が第４の手段として構成したところは、スライドレールの移動側メンバーの収納側端部に取付けられた弾性圧接部材と、スライドレールの固定側メンバーの収納側端部に取付けられた回動引き込み部材からなり、回動引き込み部材は、移動側部材の収納時、通常姿勢で弾性圧接部材と圧接する押し込み案内路と、回動姿勢で弾性圧接部材と圧接し、移動側部材を引き込む引き込み案内路を連続して有し、弾性圧接部材は、回動引き込み部材の押し込み案内路と引き込み案内路に前端部分が圧接する方向に回動力が付勢された弾性圧接腕を有し、引き込み案内路は、回動引き込み部材が回動したとき、弾性圧接腕の先端の圧接力が移動側部材を最終収納位置となす方向への引き込み力に変化させる方向に傾斜して、押し込み案内路と屈曲して配設され、移動側部材が収納状態となると、回動引き込み部材は通常姿勢に復帰し、移動側部材が収納状態から引き出し方向に移動するときは、弾性圧接部材は通常姿勢となった回動引き込み部材に圧接しないものである。
【発明の効果】
【００１０】
請求項１に記載の発明によると、引き込み装置は、固定側部材あるいは移動側部材のいずれか一方側に取付けられる弾性圧接部材と、弾性圧接部材に対応して他方側に取付けられた回動引き込み部材から構成されているので、スライドレールに直接取付けなくても（もちろん、取付けても良いことは云うまでもない。）、スライドレールの引き込み機能を得る事ができる。すなわち、スライドレールの移動側メンバーと家具本体、あるいは、引出し部と固定側メンバー、あるいは、引出し部と家具本体に取付けておけば、移動側部材の引き込み機能を得ることができる。したがって、スライドレールの種類に影響されずに使用できるので汎用性に優れ、引き込み機能を得る為にスライドレールに特殊な加工を施す必要がなく安価に製作出来る。
【００１１】
さらに、弾性圧接部材は、移動側部材の収納途中で回動引き込み部材に弾性的に圧接し、弾性圧接部材と圧接しながら移動側部材が収納される途中で、回動引き込み部材は回動して、移動側部材に引き込み力を付与し、移動側部材が収納状態となると、回動引き込み部材は通常姿勢に復帰し、移動側部材が収納状態から引き出し方向に移動するときは、弾性圧接部材は通常姿勢となって回動引き込み部材に圧接しないので、移動側部材の停止状態（収納状態）から引出す時の初期摺動力に影響を与えることがなく、引き出し感覚を簡単に得ることができる。
【００１２】
請求項２に記載の発明によると、前記効果に加え、回動引き込み部材は、移動側部材の収納時、通常姿勢で弾性圧接部材と圧接する押し込み案内路と、回動姿勢で弾性圧接部材と圧接し、移動側部材を引き込む引き込み案内路を連続して有しているので、弾性圧接部材が引き込み案内路に圧接しても、移動側部材の摺動途中であるから、摺動中の加速度と相殺され、摺動力が急激に重くなる感覚はほとんどない。
むしろ、継続して収納摺動力を付加せず、初期動作だけで勢いよく移動側部材を収納した場合には、弾性圧接部材が押し込み案内路に達した時点でブレーキ効果が働き、かえって安全である。
【００１３】
請求項３に記載の発明によると、前記効果に加え、弾性圧接部材は、回動引き込み部材の押し込み案内路と引き込み案内路に前端部分が圧接する方向に回動力が付勢された弾性圧接腕を有しているので、弾性圧接腕の長さを選択する事によって、引き込み開始位置を使用場所に応じて選択することができる。
又、引き込み案内路は、回動引き込み部材が回動したとき、弾性圧接腕の先端の圧接力が移動側部材を最終収納位置となす方向への引き込み力に変化させる方向に傾斜し、引き込み案内路と押し込み案内路は屈折して配設されているので、回動引き込み部材の高さ寸法を小さく形成することができ、引き込み装置全体をコンパクトに構成することが可能である。
【００１４】
請求項４に記載の発明によると、前記請求項1から３に記載の発明の効果を併せ持つと共に、弾性圧接部材はスライドレールの移動側メンバーの収納側端部に取付けられ、回動引き込み部材はスライドレールの固定側メンバーの収納側端部に取付けられているので、通常、外部から目視されることがなく、スライドレールを取り替えるだけで、引き込み機能を持つキャビネット等を提供することができる。
【発明を実施するための最良の形態】
【００１５】
スライドレールの移動側メンバーの収納側端部に取付けられた弾性圧接部材と、スライドレールの固定側メンバーの収納側端部に取付けられた回動引き込み部材からなり、回動引き込み部材は、移動側部材の収納時、通常姿勢で弾性圧接部材と圧接する押し込み案内路と、回動姿勢で弾性圧接部材と圧接し、移動側部材を引き込む引き込み案内路を連続して有し、弾性圧接部材は、回動引き込み部材の押し込み案内路と引き込み案内路に前端部分が圧接する方向に回動力が付勢された弾性圧接腕を有し、引き込み案内路は、回動引き込み部材が回動したとき、弾性圧接腕の先端の圧接力が移動側部材を最終収納位置となす方向への引き込み力に変化させる方向に傾斜して、押し込み案内路と屈曲して配設され、移動側部材が収納状態となると、回動引き込み部材は通常姿勢に復帰し、移動側部材が収納状態から引き出し方向に移動するときは、弾性圧接部材は通常姿勢となった回動引き込み部材に圧接しないものである。
【実施例】
【００１６】
以下、添付図面に基づいて実施例を説明する。
図１、図２、図３において、符号１は固定側メンバーを示し、符号２は移動側メンバーを示し、符号３はボールリテーナーを示し、符号５０は、スライドレール１００の引き込み装置を示している。そして、図１において左側斜め下方向を収納側、右側斜め上方向を引き出し側として説明する。
【００１７】
固定側メンバー１は、金属製の細長条板の短手両端部を外向き円弧状に折り曲げた外面長手方向にボール案内溝を有する上下の両折曲縁１１、１１と、家具等の本体側と連結される固定側メンバー基板１２より断面略Ｃ字形に形成されている。
そして、固定側メンバー基板１２の引き出し側端部を移動側メンバー２方向に折り曲げて固定側移動時ストッパー１４が形成され、固定側メンバー基板１２の収納側端部に引き込み部材連結座７１を介して引き込み装置５０の回動引き込み部材７が取付けられている。
【００１８】
ボールリテーナー３は、帯条金属板にて固定側メンバー１、移動側メンバー２間に挿入可能な大きさで、かつ、両メンバー１、２の半分以下の長さで、基板３１と上下の折曲片３２、３２からなり、上下の両折曲片３２、３２の摺動方向の数箇所に複数個のボール３０・・・を回転自在に保持している。
【００１９】
移動側メンバー２は、固定側メンバー１と対向した同形同長に形成され、金属製の細長条板の短手両端部を内向き円弧状に折り曲げて形成された内面長手方向にボール案内溝を有する上下の両折曲縁２１、２１と、移動側メンバー基板２２より、断面略Ｃ字形に形成されている。
【００２０】
そして、移動側メンバー基板２２の引き出し側端部を固定側メンバー１方向に折り曲げて形成された移動側収納時ストッパー２３と、移動側メンバー基板２２の収納側端部を固定側メンバー１方向に折り曲げて形成された移動側移動時ストッパー２４を有している。
【００２１】
実施例のスライドレール１００は上記の如く構成され、スライドレール１００の最大伸長時には、移動側メンバー２の移動側移動時ストッパー２４が緩衝部材を介してボールリテーナー３の収納側端面に当接し、ボールリテーナー３の引出し側端面は緩衝部材を介して固定側メンバー１の固定側移動時ストッパー１４の内面に当接している。
【００２２】
一方、スライドレール１００の最短収縮状態では、移動側メンバー２の引出し側端部の移動側収納時ストッパー２３が緩衝部材を介して固定側メンバー１の収納側端部に形成された固定側移動時ストッパー１４の外面に当接している。
【００２３】
引き込み装置５０は、移動側メンバー２（あるいは、移動側メンバー２が連結される移動側部材）の収納側端部に取付けられる弾性圧接部材５と、弾性圧接部材５に対応して固定側メンバー１（あるいは、固定側メンバー１が連結される固定側部材）の収納側端部に取付けられる回動引き込み部材７より構成されている。
【００２４】
弾性圧接部材５は、引張りバネ５１と、引張りバネ５１によって所定方向に回動力が付与された弾性圧接腕８より構成されている。
【００２５】
弾性圧接腕８は、スライドレール１００の厚み方向に扁平な板状で、収納側に長く突出し、移動側メンバー基板２２の外側に連結ピン８１にて、引出側端部が回動自在に連結されている。
そして、前記引き込み部材連結座７１方向に突出し、移動側メンバー２の収納時、回動引き込み部材７に当接する圧接ピン８２（図３に示す。）を収納側端部に有し、前記引き込み部材連結座７１の反対方向（外側方向）に突出し、前記引張りバネ５１の一端部が連結される、圧接腕側連結用突片８３を収納側端部に有している。
【００２６】
引張りバネ５１は、一端が前記圧接腕側連結用突片８３に取付けられ、他端が、移動側メンバー基板２２の収納側端部に形成された外側方向に突出するメンバー側連結用突部８４に取付けられて、弾性圧接腕８に、図５で時計回りの回動力を付与し、圧接ピン８２が移動側メンバー２の下折曲縁２１の下面に当接して、弾性圧接腕８の回動は停止している。
【００２７】
回動引き込み部材７は、引出側から収納側に向って下方に傾斜する押し込み案内路７２と、押し込み案内路７２の収納側端部から収納側に向って上方に傾斜して、押し込み案内路７２と屈曲して配設された引き込み案内路７３を連続して有し、押し込み案内路７２と引き込み案内路７３の屈曲部分を回動用連結ピン７４にて、回動自在に引き込み部材連結座７１の外側面に取付けられている。
【００２８】
そして、引き込み案内路７３の所定寸法上方に位置して、回動引き込み部材７の通常姿勢で、略水平面となるバネ支持面７５が移動側メンバー２の下折曲縁２１の下面間に回動用空間７５０を有して形成され、引き込み案内路７２の引出側端部から収納方向に渡って延設された、回動引き込み部材７の通常姿勢を維持するためのストッパー面７６が形成され、ストッパー面７６の収納側端部からバネ支持面７５に渡ってバネ配設面７７が形成され、回動引き込み部材７は下向きへの字形に形成されている。
【００２９】
すなわち、回動引き込み部材７は、バネ支持面７５と引き込み部材連結座７１の外側面間に配設されたバネ７０にて、図４に示す状態において常に反時計回りの方向に回動力が付与されている。
そして、引き込み部材連結座７１に形成された外方に突出するストッパー突片７１１（図３に示す。）にストッパー面７６が下方から当接し、回動引き込み部材７は、ストッパー面７６が移動側メンバー２の下折曲縁２１の下面にほぼ当接する位置で停止し、押し込み案内路７２と移動側メンバー２の下折曲縁２１の下面が連続する姿勢（通常姿勢）が維持される。
【００３０】
本発明は上記の如く構成され、図２、図４に示すように、移動側メンバー２が収納されて、圧接ピン８２が移動側メンバー２の下折曲縁２１の収納側端部の下面に当接して、回動引き込み部材７の引出側に位置した状態（移動側メンバー２が引出された状態）から、移動側メンバー２が収納されていくと、圧接ピン８２が移動側メンバー２の下折曲縁２１の下面から押し込み案内路７２に当接しながら、引張りバネ５１の引張り力に抗して、弾性圧接腕８を図４から反時計回りに回動して、収納方向に移動すると共に、押し込み案内路７２と引き込み案内路７３の連続箇所に圧接ピン８２が達する。（図５に示す状態。）
この時、回動引き込み部材７のストッパー面７６がストッパー突片７１１の下面に当接しているので、圧接ピン８２（弾性圧接部材８）によって回動引き込み部材７は、図５で反時計廻りの方向に回動する事はない。
【００３１】
そして、圧接ピン８２が、引き込み案内路７３の引出側で、回動用連結ピン７４の収納側に位置したとき、引張りバネ５１の引張り力によって回動引き込み部材７は回動用連結ピン７４を中心として、図５から時計回りの方向に回動し、図６に示す状態となる。
この状態で、引き込み案内路７３は、収納方向で上方に傾斜し、圧接ピン８２は、時計回りの方向の回動力が付与されて引き込み案内路７３に圧接するので、弾性圧接部材８（弾性圧接部材８と連結された移動側メンバー２）は、収納方向に引き込まれ、移動側部材が収納状態となり、引き手等に設けられたラッチ装置が固定側部材と係止し、移動側部材の収納状態が維持される。
【００３２】
この状態で、圧接ピン８２は、引き込み案内路７３の収納側端部から収納側に位置し、移動側メンバー２の下折曲縁２１の収納側端部の下面に当接するので、回動引き込み部材７は、バネ７０にて、反時計回りの方向に回動し、ストッパー面７６がストッパー突片７１１の下面に当接して通常姿勢に復帰し、バネ支持面７５と移動側メンバー２の下折曲縁２１の下面間に回動用空間７５０を形成する。
【００３３】
次に、移動側部材を引き出す時は、引き手等に設けられたラッチ装置を操作して、固定側部材との係止状態を解除しながら、移動側部材（移動側メンバー２）を引出すと、圧接ピン８２は、移動側メンバー２の下折曲縁２１の収納側端部の下面に当接した状態で、前記回動用空間７５０を移動し、やがて、ストッパー面７６の収納側端部縁部（バネ配設面７７の上端縁）に接触し、バネ７０の弾性に抗して時計回りの方向に、回動引き込み部材７を回動させ（図８に示す状態）、ストッパー面７６の上面を通過し、回動引き込み部材７の引出し側に位置し、回動引き込み部材７はバネ７０によって通常姿勢に復帰する。（図４に示す状態。）
【００３４】
すなわち、引出しの初期動作において、回動引き込み部材７と弾性圧接部材５は、全く影響し合わないので、初期摺動力が従来に比較して非常に軽い。
又、圧接ピンが押し込み案内路に収納途中で圧接するので、理論的には摺動力が重くなるが、実際に使用状態では、すでにある程度の加速度がついた状態となっているので、使用者に摺動力が急に重くなった印象を与えることはなく、むしろ、最終収納状態に近づいたことを、使用者に感知させる効果がある。
【００３５】
尚、実施例では、回動引き込み部材７は、スライドレール１００の固定側メンバー１の収納側端面に引き込み部材連結座７１を介して取付けられ、弾性圧接部材５は移動側メンバー２に取付けられた構成となっているが、スライドレール１００と関係なく回動引き込み力付加部材７をキャビネット等の固定側部材の収納側端部に設け、弾性圧接部材５をスライドレールを介して固定側部材に収納、引出し自在として引出しの収納側端部に設けるようにしても良い。  
【図面の簡単な説明】
【００３６】
【図１】本発明を具備したスライドレールの斜視図
【図２】移動側メンバーがやや引出された状態の本発明を具備したスライドレールの斜視図
【図３】移動側部材の収納時、弾性圧接部材が回動引き込み部材に近づいた状態の説明図
【図４】圧接ピンが押し込み案内路に圧接している状態の説明図
【図５】圧接ピンが押し込み案内路と引き込み案内路間に位置した状態の説明図
【図６】圧接ピンが引き込み案内路に位置した状態の説明図
【図７】移動側メンバーが完全に収納された状態の説明図
【図８】圧接ピンがストッパー面の収納側端部縁部に接触した状態の説明図
【符号の説明】
【００３７】
１              固定側メンバー
１１、１１      上下折曲縁
１００          スライドレール
２              移動側メンバー
５              弾性圧接部材
５０            引き込み装置
７              回動引き込み部材
７２            押し込み案内路
７３            引き込み案内路
８              弾性圧接腕
８２            圧接ピン
【図１】
2010057569.tif 000003
【図２】
2010057569.tif 000004
【図３】
2010057569.tif 000005
【図４】
2010057569.tif 000006
【図５】
2010057569.tif 000007
【図６】
2010057569.tif 000008
【図７】
2010057569.tif 000009
【図８】
2010057569.tif 000010